(57)【要約】【課題】メモリーカード用コネクタに於て、ケースの巾寸法を小さくしてコネクタの小型化を図る。【解決手段】本発明は１つの挿入口２１内に長短２種類のメモリーカードを各別にプッシュイン・プッシュアウト機構によって挿入・取外し自在に構成されたメモリーカード用コネクタ１１に於て、長いメモリーカードに係合して該メモリーカードと共に摺動するプッシュイン・プッシュアウト機構を備えたスライダー１５を設けると共に、短いメモリーカードに係合して摺動する摺動体１６を設け、且つ、該摺動体１６を前記スライダー１５に係合自在に構成して、短いメモリーカードの挿入・取外し時に前記スライダー１５のプッシュイン・プッシュアウト機構を兼用するように構成したメモリーカード用コネクタを提供する。【選択図】　図３
2004095232.tif 000002
【特許請求の範囲】
【請求項１】
１つの挿入口内に長短２種類のメモリーカードを各別にプッシュイン・プッシュアウト機構によって挿入・取外し自在に構成されたメモリーカード用コネクタに於て、長いメモリーカードに係合して該メモリーカードと共に摺動するプッシュイン・プッシュアウト機構を備えたスライダーを設けると共に、短いメモリーカードに係合して摺動する摺動体を設け、且つ、該摺動体を前記スライダーに係合自在に構成して、短いメモリーカードの挿入・取外し時に前記スライダーのプッシュイン・プッシュアウト機構を兼用するように構成したことを特徴とするメモリーカード用コネクタ。
【請求項２】
上記摺動体と上記スライダーの何れか一方に凹部が形成され、他方に該凹部に係合自在の弾性手段が設けられていることを特徴とする請求項１記載のメモリーカード用コネクタ。
【発明の詳細な説明】
【０００１】
【発明の属する技術分野】
この発明は、メモリーカード用コネクタに関するものであり、特に、１つの挿入口内に長短２種類のメモリーカードを各別にプッシュイン・プッシュアウトによって挿入・取外し自在に構成されたメモリーカード用コネクタに関するものである。
【０００２】
【従来の技術及び発明が解決しようとする課題】
従来の此種メモリーカード用コネクタを図８に従って説明する。図に於て、１は１つの挿入口内に長短２種類のメモリーカードを各別にプッシュイン・プッシュアウトで挿入・取外し自在に構成された概念図で示すメモリーカード用コネクタであり、該メモリーカード用コネクタ１は、ケース２内の左右側部に夫々摺動自在のスライダー３，４を備え、１つのスライダー３は挿着される長いメモリーカード５の左側部に配置され、該メモリーカード５の湾曲状の左先端部と接触して係合するように該スライダー３の右先端部は該メモリーカード５の左先端部の形状に合わせて右方に湾曲状に突出しており、且つ、該スライダー３は前記ケース２に固着されたばね６によって挿入口７方向に付勢されている。
【０００３】
又、該スライダー３は前記メモリーカード５のプッシュイン・プッシュアウト機構（メモリーカードを挿入方向に押して挿着し、挿入方向に押して取り出す機構）として、図示しない例えば、ハートカム機構（ハート形状の環状溝が形成されたカム機構）等の特殊なカム機構を備えており、前記メモリーカード５を挿入方向に挿入すると挿入位置に挿入されて保持され、再度、該メモリーカード５を挿入方向に押すと該メモリーカード５が若干挿入方向に移動した後、前記ばね６の付勢によって後退し、該メモリーカード５が取り出されるように構成されている。尚、図示は省略するが、前記メモリーカード５は適宜手段によって、適時、前記スライダー３と係合するように構成されている。
【０００４】
そして、他方のスライダー４も前記スライダー３と同様に挿着される短いメモリーカード８の右側部に配置され、該メモリーカード８の斜欠された右先端部と接触して係合するように該スライダー４の左先端部は該メモリーカード８の右先端部の形状に合わせて左方に突出しており、且つ、該スライダー４はばね９によって挿入口７方向に付勢されている。又、該スライダー４も前記メモリーカード８のプッシュイン・プッシュアウト機構として図示しない特殊なカム機構を備えており、該カム機構によって前記メモリーカード８が挿入或いは取り出されるように構成されている。尚、図示は省略するが、前記メモリーカード３は適宜手段によって、適時、前記スライダー４と係合するように構成されている。
【０００５】
然しながら、前記メモリーカード用コネクタ１は、前記ケース２内の左右側部にスライダー３，４を備え、該スライダー３，４は夫々プッシュイン・プッシュアウト機構としての特殊なカム機構を備えているため、所定の横巾寸法を有しており、従って、該スライダー３，４の外側面間の横巾寸法Ｈ１が大となり、これによって前記メモリーカード用コネクタ１の横巾寸法が大となる問題があった。
【０００６】
そこで、メモリーカード用コネクタに於て、ケースの巾寸法を小さくしてコネクタの小型化を図るために解決すべき技術的課題が生じてくるのであり、本発明はこの課題を解決することを目的とする。
【０００７】
【課題を解決するための手段】
本発明は上記目的を達成するために提案されたものであり、１つの挿入口内に長短２種類のメモリーカードを各別にプッシュイン・プッシュアウト機構によって挿入・取外し自在に構成されたメモリーカード用コネクタに於て、長いメモリーカードに係合して該メモリーカードと共に摺動するプッシュイン・プッシュアウト機構を備えたスライダーを設けると共に、短いメモリーカードに係合して摺動する摺動体を設け、且つ、該摺動体を前記スライダーに係合自在に構成して、短いメモリーカードの挿入・取外し時に前記スライダーのプッシュイン・プッシュアウト機構を兼用するように構成したメモリーカード用コネクタ、
及び、上記摺動体と上記スライダーの何れか一方に凹部が形成され、他方に該凹部に係合自在の弾性手段が設けられているメモリーカード用コネクタを提供するものである。
【０００８】
【発明の実施の形態】
以下、本発明の一実施の形態を図１乃至図７に従って詳述する。図１に於て、１１は上ケースを取り外した状態のメモリーカード用コネクタであり、該メモリーカード用コネクタ１１は合成樹脂製の下ケース１２と、該下ケース１２上面の先端部に配設された端子１３，１３…と、該下ケース１２の上面中央部に配設された端子１４，１４…と、該下ケース１２の上面左側先端部に摺動自在に配設されたスライダー１５と、前記端子１４，１４…の近傍に摺動自在に配設された摺動体としてのシャッター１６とを備えている。
【０００９】
そして、前記下ケース１２は平面状の底部１７上にコ字状に左側壁１８、先端壁１９及び右側壁２０が立設して形成され、開放側側面は挿入口２１となっている。
【００１０】
又、前記左側壁１８は前半部が切欠されており、後半部には右方に突出自在の係合ばね２２が固着されている。
更に、前記スライダー１５は前記先端壁１９に保持されるらせん状のばね２３によって前記挿入口２１方向に付勢され、該スライダー１５の右側面には右方に突出自在の係合ばね２４が固着されると共に、該右側面後端部には右方に開放する凹部１５ａが形成され、且つ、該スライダー１５の左側面には後述するプッシュイン・プッシュアウト機構が設けられている。
【００１１】
又、前記シャッター１６は左右に延びる細長状の底部２５と該底部２５両側端上に立設する左右側壁２６，２７とを備え、該左右側壁２６，２７は該左右側壁２６，２７の内壁部に内方に開口するＵ字状の長手方向案内溝２６ａ，２７ａが形成され、且つ、該左側壁２６には前記下ケース１２の左側壁１８に固着された前記係合ばね２２を前記案内溝２６ａ内に貫通させるための貫通孔（図示せず）が開穿され、該ばね２２は該貫通孔を貫通して前記案内溝２６ａ内に突設自在に構成され、前記右側壁２７は前記下ケース１２の右側壁２０内に固着された長手方向に延びるらせん状のばね２８によって前記挿入口２１方向に付勢されている。
【００１２】
そして、該シャッター１６の底部２５後端部には、該シャッター１６が前記挿入口２１側に移動した時、前記端子１４，１４…の先端部を遊嵌し、該先端部の上方への突出を防ぐための複数の溝２９，２９…が形成されている。
【００１３】
更に、該シャッター１６の左側先端部には該左側先端部から左方に突設自在の突部が形成された弾性手段であるロックばね３０が固設され、該ロックばね３０は前記凹部１５ａに係合自在に構成され、該ロックばね３０は組み立て時に前記凹部１５ａに係合される。
【００１４】
尚、前述の構成に代えて、前記ロックばね３０を前記スライダー１５に固設し、前記凹部１５ａを前記シャッター１６に形成しても同様の効果が期待できる。図２は前記スライダー１５のプッシュイン・プッシュアウト機構の説明図であり、図に於て、３１は前記スライダー１５の左側面に形成されたカム溝であり、該カム溝３１は該スライダー１５の長手方向に延びて形成されると共に、該カム溝３１の後端部（図に於て右端部）が上溝３１ａ、くの字状のロック溝３１ｂ及び下溝３１ｃから成る図に於て正面視略ハート形状に形成され、且つ、該ハート形状のカム溝３１の溝底部には時計周り方向に一段づつ低くなる逆回転防止用段差３１ｄ，３１ｄ…が形成され、所謂ハートカム機構が形成されている。
【００１５】
一方、前記左側壁（図１に於て１８）に長手方向に延びる係合棒３２を揺動自在に設け、該係合棒３２の先端に前記カム溝３１側に突出する係合ピン３３を形成し、該係合棒３２を前記左側壁に固着した平板状の弾性体３４によって前記スライダー１５側に付勢し、前記係合ピン３３を前記カム溝３１内に係合させるように構成されている。
【００１６】
従って、前記スライダー１５が図に於て左方に押されると、前記係合ピン３３が前記カム溝３１の上溝３１ａを右方に案内されて前記ロック溝３１ｂに移動し、ここで、左方に押す力を弱めると前記スライダー１５は前記ばね２３に付勢されて右方に移動し、即ち、前記係合ピン３３は前記ロック溝３１ｂの中心部に案内されてロックされる。
【００１７】
更に、前記スライダー１５を左方に押すと該係合ピン３３が該ロック溝３１ｂから外れて前記下溝３１ｃに移動し、ここで、左方に押す力を弱めると前記スライダー１５が前記ばね２３に付勢されて右方に移動し、即ち、前記係合ピン３３は前記下溝３１ｃを左方に移動し、該下溝３１ｃに案内されて前記上溝３１ａに移動する。これによって、プッシュイン・プッシュアウト動作が行われる。
【００１８】
而して、図２乃至図５に従って、例えばＳＤメモリー等の短いメモリーカード３５を前記メモリーカード用コネクタ１１に挿入する場合を説明すると、先ず、該メモリーカード３５を該メモリーカード用コネクタ１１の前記挿入口２１から挿入すると該メモリーカード３５は前記シャッター１６の左右側壁２６，２７に形成された案内溝２６ａ，２７ａに案内されて該シャッター１６に遊嵌し、該シャッター１６に開穿された前記貫通孔から突出する係合ばね２２が前記メモリーカード３５の係合穴に係合して該シャッター１６を前方に摺動させる。
【００１９】
そして、該シャッター１６が、該シャッター１６に前記ロックばね３０を介して係合された前記スライダー１５を前方に移動させ、該スライダー１５の前述したプッシュイン・プッシュアウト機構によって、前記係合ピン３３が前記ロック溝３１ｂに係合すると前記メモリーカード３５は所定の挿入位置に装着される。その時、該メモリーカード３５の端子となる接触パッド（図示せず）は前記端子１４，１４…に接触して導通状態になる。
【００２０】
更に、この状態で前記メモリーカード３５を前方に押すと、前記係合ピン３３が前記ロック溝３１ｂから外れ、該係合ピン３３が前記下溝３１ｃに達し、ここで、前記メモリーカード３５を前方に押す力を弱めると、前記ばね２３の付勢によって該係合ピン３３は前記下溝３１ｃに案内されて前記挿入口２１側に移動し、同時に前記スライダー１５及びシャッター１６も前記メモリーカード３５と共に挿入口２１側に移動する。そして、この時、該シャッター１６の貫通孔も移動するため、前記係合ばね２２は該貫通孔から抜け出て左方に移動し、該係合ばね２２による前記メモリーカード３５の係合も外れるが、該シャッター１６の底部１７左後端部に後方に向かって突設された突設部３６に押されて該メモリーカード３５は前記挿入口２１側に移動し、前記メモリーカード用コネクタ１１から抜き取ることができる。
【００２１】
次に、図２、図６及び図７に従って、メモリースティック等の長く細いメモリーカード３７を前記メモリーカード用コネクタ１１に挿入する場合を説明すると、先ず、該メモリーカード３７を該メモリーカード用コネクタ１１の前記挿入口２１から挿入すると該メモリーカード３７は前記案内溝２６ａ，２７ａ内に遊嵌することなく、従って、前記係合ばね２２に係合することなく前記シャッター１６の底部２５上の左右側壁２６，２７間を摺動する。
【００２２】
この時、前述したように、前記シャッター１６は挿入口２１側に位置し、該シャッター１６の溝２９に遊嵌された前記端子１４，１４…は上方に突出していないため、前記メモリーカード３７の接触パッドは該端子１４，１４…に接触することなく、又、前記シャッター１６を摺動させることなく挿入方向に移動し、前記スライダー１５の前記係合ばね２４が該メモリーカード３７に形成された係合穴（図示せず）に係合して、該スライダー１５を前方に移動させ、該スライダー１５の前述したプッシュイン・プッシュアウト機構によって、前記係合ピン３３が前記ロック溝３１ｂに係合すると前記メモリーカード３７は所定の挿入位置に装着される。その時、該メモリーカード３７の端子となる接触パッド（図示せず）は前記端子１３，１３…に接触して導通状態になる。
【００２３】
次に、前記メモリーカード３７を前方に押すと、前記係合ピン３３が前記ロック溝３１ｂから外れ、該係合ピン３３が前記下溝３１ｃに達し、ここで、前記メモリーカード３７を押す力を弱めると、前記ばね２３の付勢力により該係合ピン３３は下溝３１ｃに案内されて前記挿入口２１側に移動し、同時に前記スライダー１５も前記メモリーカード３７と共に挿入口２１側に移動する。そして、この時、前記係合ばね２４による前記メモリーカード３５の係合は該係合ばね２４が撓むことによって外れ、該メモリーカード３５は前記メモリーカード用コネクタ１１から抜き取ることができる。
【００２４】
斯くして、図４及び図６に示す如く、前記メモリーカード用コネクタ１１は挿入される前記メモリーカード３５又は３７の左側方に前記シャッター１６の左側壁２６、前記スライダー１５及び前記下ケース１２の左側壁１８が設けられ、右側方に前記シャッター１６の右側壁２７及び前記下ケース１２の右側壁２０が配設され、該左側壁１８の左側面から該右側壁２０の右側面までの横巾をＨ２とすると、該横巾Ｈ２は従来例のメモリーカード用コネクタの横巾Ｈ１に比較して短くすることができる。即ち、従来例の２つのスライダーを備えた構成に代えて１つのスライダーとシャッターを備えた構成にすることにより、巾寸法が比較的大となるスライダーを１個不要にすることができ、且つ、前記シャッターはケースの巾寸法をさほど広げないためメモリーカード用コネクタの小型化を図ることが出来る。
【００２５】
又、前記シャッター１６の左側先端部には該左側先端部から左方に突設自在の突部が形成された弾性手段であるロックばね３０が固設され、該ロックばね３０は前記凹部１５ａに係合自在に構成され、該ロックばね３０は組み立て時に前記凹部１５ａに係合されるが、該係合方法は構成が簡素であり、且つ、組み立ても極めて容易である等、コストダウンに寄与することができる。
【００２６】
尚、本発明は、本発明の精神を逸脱しない限り種々の改変を為すことができ、そして、本発明が該改変されたものに及ぶことは当然である。
【００２７】
【発明の効果】
本発明は上記一実施の形態に詳述したように、請求項１記載の発明は、１つの挿入口内に長短２種類のメモリーカードを各別にプッシュイン・プッシュアウト機構によって挿入・取外し自在に構成されたメモリーカード用コネクタに於て、長いメモリーカードに係合して該メモリーカードと共に摺動するプッシュイン・プッシュアウト機構を備えたスライダーを設けると共に、短いメモリーカードに係合して摺動する摺動体を設け、且つ、該摺動体を前記スライダーに係合自在に構成して、短いメモリーカードの挿入・取外し時に前記スライダーのプッシュイン・プッシュアウト機構を兼用するように構成したので、プッシュイン・プッシュアウト機構を備えた比較的巾寸法の大なるスライダーが１個不要となり、且つ、前記摺動体はケースの巾寸法をそれ程広げないため、従来例に比較してケースの巾寸法を小さくすることが可能となり、コネクタの小型化を図ることができる。
【００２８】
又、請求項２記載の発明は、上記摺動体と上記スライダーの何れか一方に凹部が形成され、他方に該凹部に係合自在の弾性手段が設けられているので、請求項１記載の発明の効果に加え、前記係合方法は構成が簡素であり、且つ、組み立ても極めて容易であり、コストダウンに寄与できる等、正に著大なる効果を奏する発明である。
【図面の簡単な説明】
【図１】本発明の一実施の形態を示し、上ケースを取り除いたメモリーカード用コネクタの斜視図。
【図２】（ａ）〜（ｈ）図１のスライダーのプッシュイン・プッシュアウト機構の動作説明図。
【図３】図１のメモリーカード用コネクタに短いメモリーカードを挿入する状態を示す斜視図。
【図４】図１のメモリーカード用コネクタに短いメモリーカードを挿入する状態を示す平面図。
【図５】図１のメモリーカード用コネクタに短いメモリーカードを挿入した状態を示す平面図。
【図６】図１のメモリーカード用コネクタに長いメモリーカードを挿入する状態を示す平面図。
【図７】図１のメモリーカード用コネクタに長いメモリーカードを挿入した状態を示す平面図。
【図８】従来例を示し、メモリーカード用コネクタの概念平面図。
【符号の説明】
１１　　　　　メモリーカード用コネクタ
１５　　　　　スライダー
２１　　　　　挿入口
３５，３７　　メモリーカード
【図１】
2004095232.tif 000003
【図２】
2004095232.tif 000004
【図３】
2004095232.tif 000005
【図４】
2004095232.tif 000006
【図５】
2004095232.tif 000007
【図６】
2004095232.tif 000008
【図７】
2004095232.tif 000009
【図８】
2004095232.tif 000010